(57)【要約】【課題】    本発明は、使用勝手を向上させることができるテーブルを提供する。【解決手段】        テーブルＴは、物を載せる載置面１と、この載置面１を支える複数の脚部２を備えたテーブルＴであって、載置面１の縁部に水平方向に移動自在な手摺り部３を設けるものである。【選択図】図１
2006116209.tif 000002
【特許請求の範囲】
【請求項１】
物を載せる載置面と、この載置面を支える複数の脚部を備えたテーブルであって、
前記載置面の縁部に水平方向に移動自在な手摺り部を設ける
ことを特徴とするテーブル。
【請求項２】
載置面の縁部の中途に凹所を設け、
手摺り部を使用するときは、前記手摺り部を前記凹所の突出した一方の端面と他方の端面とを結ぶ線より外側に移動させ、
前記手摺り部を使用しないときには、前記手摺り部を前記凹所の突出した一方の端面と他方の端面とを結ぶ線より外側に突出しないように移動させる
ことを特徴とする請求項１記載のテーブル。
【請求項３】
座と、背もたれ部と、前記座を支える複数の脚部を備えた椅子であって、
前記背もたれ部の立設方向に沿うと共に前記背もたれ部の縁部より突出して設けられた手摺り部を備えていることを特徴とする椅子。    
【発明の詳細な説明】
【技術分野】
【０００１】
本発明は、テーブル及び椅子に係り、特に、使用勝手を向上させることができるテーブル及び椅子に関する。
【背景技術】
【０００２】
従来、高齢者等のために手摺り部を備えた家具がある（例えば、特許文献１参照。）。
【０００３】
これは、下駄箱などの家具の平板部（Ａ１）の縁部に手摺（１０）を取り付け、身体を支持させ易いようにしている（特開２００１−２６９２３１号公報の図１参照）。
【０００４】
しかしながら、上述した手摺（１０）をテーブル、椅子に適用した場合、手摺（１０）が水平方向に出っ張っている分、人、物等に引っかかり易く使用勝手が良好でないという問題点が生じた。
【特許文献１】特開２００１−２６９２３１号公報
【発明の開示】
【発明が解決しようとする課題】
【０００５】
本発明は、前記した問題点を除去するようにしたテーブル及び椅子を提供することを目的としている。
【課題を解決するための手段】
【０００６】
前記した目的を達成するための本発明のテーブルは、物を載せる載置面と、この載置面を支える複数の脚部を備えたテーブルであって、前記載置面の縁部に水平方向に移動自在な手摺り部を設けるものである。
【０００７】
また、請求項２記載のテーブルは、請求項１記載のテーブルにおいて、載置面の縁部の中途に凹所を設け、手摺り部を使用するときは、前記手摺り部を前記凹所の突出した一方の端面と他方の端面とを結ぶ線より外側に移動させ、前記手摺り部を使用しないときには、前記手摺り部を前記凹所の突出した一方の端面と他方の端面とを結ぶ線より外側に突出しないように移動させるものである。
【０００８】
また、請求項３記載の椅子は、座と、背もたれ部と、前記座を支える複数の脚部を備えた椅子であって、前記背もたれ部の立設方向に沿うと共に前記背もたれ部の縁部より突出して設けられた手摺り部を備えているものである。
【発明の効果】
【０００９】
請求項１記載のテーブルによれば、載置面の縁部に水平方向に移動自在な手摺り部を設けているので、手摺り部を使用するときは、載置面の縁部より突出させて使用し、手摺り部を使用しないときには、手摺り部を前記載置面に向かって移動させ、載置面の縁部よりの突出量を少なくすることができ、手摺り部が出っ張らないようにした分、人、物等に引っかからず使用勝手を向上させることができる。
【００１０】
また、請求項２記載のテーブルによれば、載置面の縁部の中途に凹所を設  け、手摺り部を使用するときは、前記手摺り部を前記凹所の突出した一方の端面と他方の端面とを結ぶ線より外側に移動させ、前記手摺り部を使用しないときには、前記手摺り部を前記凹所の突出した一方の端面と他方の端面とを結ぶ線より外側に突出しないように移動させるため、手摺り部の未使用時、手摺り部が載置面の縁部より出っ張らない分、人、物等に引っかからず使用勝手を向上させることができる。
【００１１】
また、請求項３記載の椅子によれば、手摺り部を背もたれ部の立設方向に沿うと共に前記背もたれ部の縁部より突出して設けるようにしているため、つまり、手摺り部が背もたれ部の水平方向に取り付けられていないため、手摺り部が背もたれ部の縁部より水平方向に出っ張らない分、人、物等に引っかからず使用勝手を向上させることができ、しかも、手摺り部を握った使用者の荷重は背もたれ部の立設方向に作用するため、椅子の安定性を阻害せず、椅子が転倒する不具合を防ぐことができ使用勝手をも向上させることができる。
【発明を実施するための最良の形態】
【００１２】
本発明の一実施例であるテーブル及び椅子を図面を参照して、説明する。
図１乃至図７において、Ｔはテーブルで、テーブルＴは、物を載せる載置面１と、この載置面１を支える複数の脚部２とを備えている。載置面１の縁部には  、水平方向に移動自在な手摺り部３が設けられている。高齢者等は、手摺り部３を使用して、座ったり、立ち上がったりするのを容易にすることができる。
このテーブルＴは、手摺り部３を使用するときは、載置面１の縁部より突出させて使用し（図１の下に位置する手摺り部３参照）、手摺り部３を使用しないときには、手摺り部３を載置面１に向かって移動させ（図１の上に位置する手摺り部３参照）、載置面１の縁部よりの突出量を少なくすることができ、手摺り部３が出っ張らないようにした分、人、物等に引っかからず使用勝手を向上させることができるようにしたものである。
【００１３】
詳述すれば、Ｓは、載置面１の縁部の中途に設けられた凹所で、手摺り部３を使用するときは、手摺り部３を凹所Ｓの突出した一方の端面Ｓ１と他方の端面Ｓ２とを結ぶ線より外側に移動させ（図１の下に位置する手摺り部３及び図４、５、６参照）、手摺り部３を使用しないときには、手摺り部３を凹所Ｓの突出した一方の端面Ｓ１と他方の端面Ｓ２とを結ぶ線より外側に突出しないように移動させる（図１の上に位置する手摺り部３及び図３参照）。
【００１４】
載置面１と手摺り部３とは接続部材４で接続され、載置面１の裏面側には、
移動する接続部材４を収納する空間部位である収納部５が設けられている。収納部５の下には平板状部材６が位置し、平板状部材６は載置面１の裏面にネジ７で
取り付けられている。８は突起で、突起８は平板状部材６を貫通し、接続部材４の底面に設けられた長孔４１内に位置し、手摺り部３及び接続部材４の動きを規制する。すなわち、この規制により、手摺り部３を使用しないとき、つまり、手摺り部３を凹所Ｓの突出した一方の端面Ｓ１と他方の端面Ｓ２とを結ぶ線より外側に突出しないように移動させた状態（図３参照）と、手摺り部３を使用するとき、つまり、手摺り部３を凹所Ｓの突出した一方の端面Ｓ１と他方の端面Ｓ２とを結ぶ線より外側に移動させた状態（図４参照）とにすることができる。
なお、９は接続部材４を手摺り部３に取り付ける部材で、部材９はネジ１０により手摺り部３に取り付けられる。
【００１５】
従って、このテーブルＴによれば、載置面１の縁部の中途に凹所Ｓを設け、手摺り部３を使用するときは、手摺り部３を凹所Ｓの突出した一方の端面Ｓ１と他方の端面Ｓ２とを結ぶ線より外側に移動させ、手摺り部３を使用しないときには、手摺り部３を凹所Ｓの突出した一方の端面Ｓ１と他方の端面Ｓ２とを結ぶ線より外側に突出しないように移動させるため、手摺り部３の未使用時、手摺り部３が載置面１の縁部より出っ張らない分、人、物等に引っかからず使用勝手を向上させることができる。
【００１６】
次に、図８及び図９を参照して椅子Ｃについて説明する。
椅子Ｃは、おしりを載せる座２０と、この座２０と一体的に設けられた背もたれ部２１と、座２０を支える複数の脚部２２とを備えている。
手摺り部３は、背もたれ部２１の立設方向（略垂直方向）に沿うと共に背もたれ部２１の縁部２１Ａより突出して設けられている。手摺り部３は、手の指が入るように空所３１が設けられている。
【００１７】
この椅子Ｃによれば、手摺り部３を背もたれ部２１の立設方向に沿うと共に背もたれ部２１の縁部２１Ａより突出して設けるようにしているため、つまり、手摺り部３が背もたれ部２１の縁部２１Ａより水平方向に出っ張らない分、人、物等に引っかからず使用勝手を向上させることができ、しかも、手摺り部３を握った使用者の荷重は背もたれ部２１の立設方向に作用するため、椅子Ｃの安定性を阻害せず、椅子Ｃが転倒する不具合をも防ぐことができ使用勝手を向上させることができる。
【図面の簡単な説明】
【００１８】
【図１】図１は、本発明の一実施例のテーブルの概略平面図である。
【図２】図２は、図１の概略的側面図である。
【図３】図３は、図１のテーブルの一部を裏面側から見た概略的図である。
【図４】図４は、図３の手摺り部が外方へ移動した状態の概略的図である。
【図５】図５は、図４の一方の端面に対応する他方の端面の側の概略的図である。
【図６】図６は、図５の概略的断面図である。
【図７】図７は、図６のＹ−Ｙ線による概略的断面図である。
【図８】図８は、椅子の概略正面図である。
【図９】図９は、図８の概略的側面図である。
【符号の説明】
【００１９】
Ｔ          テーブル
１          載置面
２          脚部
３          手摺り部
【図１】
2006116209.tif 000003
【図２】
2006116209.tif 000004
【図３】
2006116209.tif 000005
【図４】
2006116209.tif 000006
【図５】
2006116209.tif 000007
【図６】
2006116209.tif 000008
【図７】
2006116209.tif 000009
【図８】
2006116209.tif 000010
【図９】
2006116209.tif 000011